(57)【要約】【課題】設計の自由度を高めた遊技盤を提供する。【解決手段】本発明に係る遊技盤１０は、遊技釘、風車、始動入賞装置、大入賞装置、一般入賞装置、センター飾り等といった遊技を行うための遊技構成部品と、前面に設けられた遊技領域に各種遊技構成部品がそれぞれ取り付けられるベニヤ板１１０とを備え、ベニヤ板１１０の輪郭形状に合わせて形成された金属製の板部材１２０に、ベニヤ板１１０の背面側が取り付け固定されるように構成されている。【選択図】図４
2007190038.tif 000002
【特許請求の範囲】
【請求項１】
遊技を行うための遊技構成部品と、
前面に前記遊技構成部品が取り付けられるベニヤ板とを備え、
前記ベニヤ板の輪郭形状に合わせて形成された金属製の板部材に、前記ベニヤ板の背面側が取り付け固定されるように構成されることを特徴とする遊技盤。
【請求項２】
前記ベニヤ板が複数のベニヤ板から構成され、前記複数のベニヤ板を個々に前記板部材に対し取り付け固定可能に構成されることを特徴とする請求項１に記載の遊技盤。
【発明の詳細な説明】
【技術分野】
【０００１】
本発明は、パチンコ機等の弾球遊技機に用いられる遊技盤に関する。
【背景技術】
【０００２】
弾球遊技機の代表例であるパチンコ機は、前面に遊技領域を形成する遊技盤を立設姿勢で収容保持した前枠に、前背面に遊技球の処理経路を一体に設けるとともに背面に各種制御基板が取り付けられる裏セット盤を背面から取り付けて構成され、発射装置により遊技領域上部に導いた遊技球を落下させる過程で遊技領域内に設けた入賞具に入賞させる遊技を行うように構成されている。
【０００３】
遊技盤は、ルータ加工等を施した矩形状のベニヤ板に所定の図柄を印刷したセルを貼り付けて形成された化粧板を基板として構成され、化粧板の前面に遊技球を導くレールを取り付けて略円形状の遊技領域が区画形成されている（例えば、特許文献１を参照）。遊技領域内には、多数の遊技釘、入賞装置等が取り付けられるとともに、略中央部に設けられた開口部の周縁に飾り部材が取り付けられており、この開口部内に遊技展開に応じた図柄を表示させて遊技性を高めるための図柄表示装置が例えば液晶パネル等の表示部を前面に臨ませて配設されている。
【特許文献１】特開２００４−２４２７４４号公報
【発明の開示】
【発明が解決しようとする課題】
【０００４】
近年、図柄表示装置が大型化するのに伴って、図柄表示装置が配設される飾り部材も大型化している。そのため、飾り部材の形状に合わせてベニヤ板（化粧板）の開口部を大きくする必要があるが、ベニヤ板の開口部が大きくなると、その分だけベニヤ板の肉部の幅が薄くなるため、ベニヤ板の強度低下やソリの原因となり、飾り部材を大きくするのに限界があった。
【０００５】
本発明は、このような問題に鑑みて成されたものであり、設計の自由度を高めた遊技盤を提供することを目的とする。
【課題を解決するための手段】
【０００６】
このような目的達成のため、本発明に係る遊技盤は、遊技を行うための遊技構成部品と、前面に遊技構成部品が取り付けられるベニヤ板とを備え、ベニヤ板の輪郭形状に合わせて形成された金属製の板部材に、ベニヤ板の背面側が取り付け固定されるように構成される。
【０００７】
また、上述の発明において、ベニヤ板が複数のベニヤ板から構成され、複数のベニヤ板を個々に板部材に対し取り付け固定可能に構成されることが好ましい。
【発明の効果】
【０００８】
本発明によれば、ベニヤ板の輪郭形状に合わせて形成された金属製の板部材に、ベニヤ板の背面側が取り付け固定されるように構成されるため、ベニヤ板の強度に拘わらず、飾り部材等を取り付けるための大きな開口部をベニヤ板に設けることが可能になることから、遊技盤の設計の自由度を高めることができる。
【０００９】
また、上述の発明において、複数のベニヤ板を個々に板部材に対し取り付け固定可能に構成されることで、複数のベニヤ板の一部だけを仕様等に合わせて交換することが可能になることから、遊技盤の設計の自由度をより高めることができる。
【発明を実施するための最良の形態】
【００１０】
以下、本発明の好ましい実施形態について図面を参照しながら説明する。本発明に係る遊技盤を備えた弾球遊技機の代表例としてパチンコ機ＰＭを図１および図２に示しており、まず、これらの図面を参照しながらパチンコ機ＰＭの全体構成について要約説明する。ここで、図１はパチンコ機ＰＭのガラス扉を開放して示す正面図、図２はパチンコ機ＰＭの背面図である。
【００１１】
パチンコ機ＰＭは、図１に示すように、外郭方形枠サイズに構成されて縦向きの固定保持枠をなす外枠１の開口前面に、これに合わせた方形枠サイズに構成された開閉搭載用の前枠２が互いの正面左側上下に配設されたヒンジ機構により前方に横開き開閉及び着脱が可能に取り付けられ、正面右側に設けられたダブル錠と称される施錠装置７を利用して常には外枠１と係合連結された閉止状態に保持される。
【００１２】
前枠２の前面側には、上部に前枠２の前面域に合わせた方形状のガラス扉３が、下部に球皿４が、それぞれ正面左側に設けられたヒンジ機構で横開き開閉及び着脱可能に取り付けられ、正面右側に設けられた施錠装置７および球皿施錠装置（図示せず）を利用して常には前枠２の前面を覆う閉止状態に保持される。また、球皿４の右側下部には、遊技球の発射操作を行う発射ハンドル５が取り付けられている。
【００１３】
ガラス扉３の背後に位置する前枠上部には、方形枠状の収容部２ａが前枠２に一体に設けられており、この収容部２ａに設けられた遊技盤係止具８を利用して遊技盤１０が前面側から着脱可能に立設保持されてガラス扉３を通して視認可能となっている。なお、本実施形態においては遊技盤係止具８を収容部２ａに具備して前面側から遊技盤１０を取り付け可能に構成しているが、収容部を背面側に設けて遊技盤を背面側において取り付け可能な構成としてもよい。
【００１４】
前枠２の背面側には、図２に示すように、外枠１の内寸サイズよりも幾分小さめの矩形枠状に形成された裏セット盤３０が、互いの背面右側に配設され、前後方向にスライドさせて開閉作動可能に構成されたヒンジ機構６ａ，６ｂにより横開き開閉および着脱可能に取り付けられ、背面各部に設けられた裏セット盤係止具９を用いて常には前枠２の背面を覆う閉鎖状態に保持される。裏セット盤３０には、遊技球を貯留する球貯留タンク３１、球貯留タンク３１から供給された遊技球を整列させて流下させるタンクレール３２、球圧を軽減して遊技球を下方に流下させるＳ字レール３３、入賞状態等に基づいて遊技球を払い出す球払出装置３４、球払出装置３４から払い出された遊技球を球皿４に導く球払出通路３５等の遊技球の処理機構が設けられている。
【００１５】
また、裏セット盤３０の背面には、電子部品に電力を供給する電源ユニット４１、パチンコ機ＰＭの作動を統括的に制御する主制御装置４２、効果照明、効果音等の遊技演出の制御を主に行うサブ制御装置４３、遊技球の払出作動を制御する球払出制御装置４４、遊技施設側と信号の入出力を行う外部中継端子基板４５等の各種制御装置、回路基板等の電子部品が取り付けられており、これらが図示しないコネクタケーブルで接続されてパチンコ機ＰＭが作動可能に構成される。
【００１６】
パチンコ機ＰＭは、ガラス扉３、球皿４、裏セット盤３０等が閉鎖施錠された状態で遊技に供され、球皿４に遊技球を貯留させて発射ハンドル５を回動操作することにより遊技が開始される。発射ハンドル５が回動操作されると、球皿４に貯留された遊技球が、球皿４の背面側に配設される遊技球発射装置により１球ずつ遊技盤１０の遊技領域ＰＡに打ち出され、パチンコゲームが展開される。
【００１７】
次に、遊技盤１０について図３〜図５を追加参照しながら説明する。ここで、図３は遊技構成部品を取り外した遊技盤１０の正面図、図４は遊技構成部品を取り外した遊技盤１０を背面側から見た斜視図、そして図５は遊技構成部品を取り外した遊技盤１０の右側面図である。
【００１８】
遊技盤１０は、ルータ加工等を施した矩形状の積層合板であるベニヤ板１１０（図３および図４を参照）に、所定の図柄が印刷されたセルを貼り付けて成型される化粧板１１を基体として構成される。図１に示すように、化粧板１１の前面には、上下２分割のレール飾り１２，１３がビス止めされ、内側に略円形の遊技領域ＰＡが区画形成される。遊技領域ＰＡの内側には、多数本の遊技釘とともに、風車１４や、始動入賞装置１５および大入賞装置１６並びに一般入賞装置１７といった各種入賞装置、背後に図柄表示装置１９が配設されるセンター飾り１８等の遊技を行うための遊技構成部品が取り付けられ、下端部には各入賞装置に入賞することなく遊技領域ＰＡを転動落下した遊技球を回収するためのアウト口２０が設けられる。
【００１９】
なお、図１に示すように、センター飾り１８の中央部には、前後に開口した略直方体形の内部空間１８ａが形成されており、この内部空間１８ａおよびガラス扉３を通じて、センター飾り１８の背後に配設された図柄表示装置１９の表示面を視認できるようになっている。
【００２０】
図３に示すように、ベニヤ板１１０の中央部には、センター飾り１８の形状に合わせて第１開口部１１１が形成されており、この第１開口部１１１にセンター飾り１８の後部を挿通させた状態で、センター飾り１８がベニヤ板１１０（すなわち、化粧板１１）の前面側に取り付けられるようになっている。ベニヤ板１１０の中央下部には、始動入賞装置１５および大入賞装置１６の形状に合わせて第２開口部１１２が形成されており、この第２開口部１１２に始動入賞装置１５および大入賞装置１６の後部をそれぞれ挿通させた状態で、始動入賞装置１５および大入賞装置１６がベニヤ板１１０（すなわち、化粧板１１）の前面側にそれぞれ取り付けられるようになっている。
【００２１】
ベニヤ板１１０における第２開口部１１２の左方には、左側の一般入賞装置１７の形状に合わせて第３開口部１１３が形成されており、この第３開口部１１３に一般入賞装置１７の後部を挿通させた状態で、左側の一般入賞装置１７がベニヤ板１１０（すなわち、化粧板１１）の前面側に取り付けられるようになっている。ベニヤ板１１０における第２開口部１１２の右方には、右側の一般入賞装置１７の形状に合わせて第４開口部１１４が形成されており、この第４開口部１１４に一般入賞装置１７の後部を挿通させた状態で、右側の一般入賞装置１７がベニヤ板１１０（すなわち、化粧板１１）の前面側に取り付けられるようになっている。また、ベニヤ板１１０における第２開口部１１２と第３開口部１１３との間には、図示しない通過検出センサを取り付けるための第５開口部１１５が形成されている。
【００２２】
このように多くの開口部が形成されたベニヤ板１１０（化粧板１１）は、図３および図４に示すように、金属製の板部材１２０の前面に取り付け固定されている。この板部材１２０は、ステンレス等の所定板厚の金属板に対し、切断、折り曲げ、孔あけ、溶接等の加工を施すことにより、ベニヤ板１１０の輪郭形状に合わせて外縁部の一部が前方に折り曲げられた板状に形成される。なお、板部材１２０の中央部分は、センター飾り１８や各種入賞装置の後部を挿通可能なように大きく開口されている。図４に示すように、板部材１２０にはベニヤ取り付け穴１２１が複数形成されており、板部材１２０の前面側にベニヤ板１１０を位置整合させた状態で、図示しない取り付けネジを板部材１２０の背面側から取り付け穴１２１に通過させてベニヤ板１１０の背面側にネジ固定することで、ベニヤ板１１０の背面側が板部材１２０の前面側に取り付け固定されるようになっている。
【００２３】
板部材１２０の中央部背面側には、サブ制御装置固定板１２５が板部材１２０に対し背面側にオフセットするように形成されており、サブ制御装置固定板１２５の背面側にサブ制御装置４３が取り付けられるとともに、サブ制御装置固定板１２５の前面側に図柄表示装置１９が取り付けられるようになっている。板部材１２０の中央開口部分の内側には、枠状のセンター飾り固定枠１２６が形成されており、センター飾り１８の後部がこのセンター飾り固定枠１２６に固定支持されるようになっている。また、板部材１２０の中央下部には、アウト口２０等を通過した遊技球をパチンコ機ＰＭの外部に導くための球排出枠１２７が板部材１２０の背面側に突出するように形成されている。
【００２４】
このように構成される遊技盤１０において、前述したように、ベニヤ板１１０の背面側が金属製の板部材１２０の前面側に取り付け固定されるようになっている。これにより、金属製の板部材１２０がベニヤ板１１０よりも強い強度を有するため、ベニヤ板１１０の強度に拘わらず、飾り部材１８等を取り付けるための大きな開口部をベニヤ板１１０に設けることが可能になることから、遊技盤１０の設計の自由度を高めることができる。
【００２５】
なお、このような遊技盤１０を組み立てるには、まず、ベニヤ板１１０の前面にセルを貼り付けて化粧板１１を成型し、この化粧板１１の前面の所定箇所に、上下のレール飾り１２，１３をビス止めにて取り付けるとともに、多数本の遊技釘（図示せず）、風車１４、始動入賞装置１５、大入賞装置１６、一般入賞装置１７、センター飾り１８等の遊技構成部品を打ち込みやビス止め等により取り付ける。そして、遊技構成部品等が取り付けられたベニヤ板１１０の背面側を、前述の取り付けネジ（図示せず）を用いて板部材１２０の前面側に取り付け固定する。なおこのとき、センター飾り１８の後部は嵌合によりセンター飾り固定枠１２６に固定支持され、サブ制御装置固定板１２５に取り付けられた図柄表示装置１９がセンター飾り１８の背面側に位置して、センター飾り１８の内部空間１８ａを通じて図柄表示装置１９の表示面が視認可能となる。
【００２６】
このようにして遊技盤１０が組み立てられ、前枠２の収容部２ａに立設保持された状態で使用に供される。なお、上述に限らず、セルを貼り付けたベニヤ板１１０を板部材１２０に取り付けてから、各種遊技構成部品をベニヤ板１１０の前面側に取り付けるようにしてもよい。
【００２７】
以上のような構成の遊技盤１０によれば、ベニヤ板１１０の輪郭形状に合わせて形成された金属製の板部材１２０に、ベニヤ板１１０の背面側が取り付け固定されるように構成されるため、ベニヤ板１１０の強度に拘わらず、飾り部材１８等を取り付けるための大きな開口部をベニヤ板１１０に設けることが可能になることから、遊技盤１０の設計の自由度を高めることができる。
【００２８】
なお、上述の実施形態において、ベニヤ板１１０を複数のベニヤ板に分割し、分割した複数のベニヤ板を個々に板部材１２０に対し取り付け固定できるようにしてもよい。このようにすれば、複数のベニヤ板の一部だけを仕様等に合わせて交換することが可能になることから、遊技盤の設計の自由度をより高めることができる。なおこのとき、分割した複数のベニヤ板は、その前面に遊技構成部品を取り付けたまま個々に板部材１２０に対して着脱可能であることが好ましい。
【００２９】
また、上述の実施形態において、本発明に係る遊技盤１０が第１種パチンコ遊技機であるパチンコ機ＰＭに設けられているが、これに限られるものではなく、例えば、第２種パチンコ遊技機や第３種パチンコ遊技機、雀球遊技機等の弾球遊技機に設けられてもよい。
【図面の簡単な説明】
【００３０】
【図１】本発明に係る遊技盤を備えたパチンコ機のガラス扉を開放して示す正面図である。
【図２】上記パチンコ機の裏面側を示す背面図である。
【図３】遊技構成部品を取り外した遊技盤の正面図である。
【図４】遊技構成部品を取り外した遊技盤を背面側から見た斜視図である。
【図５】遊技構成部品を取り外した遊技盤の右側面図である。
【符号の説明】
【００３１】
ＰＭ  パチンコ機（弾球遊技機）
ＰＡ  遊技領域
１０  遊技盤
１１  化粧板
１４  風車（遊技構成部品）
１５  始動入賞装置（遊技構成部品）
１６  大入賞装置（遊技構成部品）
１７  一般入賞装置（遊技構成部品）
１８  センター飾り（遊技構成部品）
１１０  ベニヤ板
１２０  板部材
【図１】
2007190038.tif 000003
【図２】
2007190038.tif 000004
【図３】
2007190038.tif 000005
【図４】
2007190038.tif 000006
【図５】
2007190038.tif 000007